(57)【要約】【課題】  配線系統を簡素化して、装置の組立性及びメンテナンス作業性をより向上することのできる脱臭器を提供することを目的とする。【解決手段】  センタパネル４に、ＵＶランプ１６に接続されるＵＶインバータモジュール２２と、各種機器に電源を供給するとともに、信号線の中継を行う電源／中継基板２１と、操作部に接続されるとともに、各種機器の制御を行う操作／制御基板２０とを集約するように設け、これらを接続する信号線を、センタパネル４上に集中して配線処理を行う。又、ＵＶランプ１６の各信号線は、前記ＵＶインバータモジュール内でＯＲ回路となるように接続し、これにより、信号線を単線で構成する。【選択図】図６
2007195842.tif 000002
【特許請求の範囲】
【請求項１】
異常状態を伝達する複数の信号線を各種機器から複数のモジュールに夫々接続する一方、同モジュールと電源／中継基板及び同電源／中継基板と操作／制御基板とを夫々信号線により接続してなる脱臭器において、
前記モジュール内に、前記複数の信号線からの信号を論理和処理するＯＲ回路を設け、前記複数のモジュールと前記電源／中継基板とを結ぶ信号線を、夫々、少なくとも一本で構成するとともに、前記電源／中継基板に複数のモジュールからの信号を論理和処理するＯＲ回路を設け、前記電源／中継基板と操作／制御基板とを結ぶ信号線を、少なくとも一本で構成したことを特徴とする脱臭器。
【請求項２】
前記モジュール及び各種基板を、本体内に配置されたセンタパネルに集約するように設けるとともに、これらを接続する信号線を、前記センタパネル上に集約するように配線処理したことを特徴とする請求項１に記載の脱臭器。
【発明の詳細な説明】
【技術分野】
【０００１】
本発明は、空気調和機としての脱臭器に係わり、より詳細には、配線構造の簡素化により組立性及びメンテナンス性を向上させた構成に関する。
【背景技術】
【０００２】
従来の空気調和機の一種として、例えば図８（Ａ）の分解斜視図に示すように、空気清浄機４０がある。同空気清浄機４０は、本体４１の最前面に前面パネル４２を配置し、順次、プレフィルタ４３と、微小ほこりをプラスに帯電させるためのイオン化部４４と、プラズマ集塵と光触媒の役割を有するロールフィルタ４５とを配設するとともに、前記本体４１の下部に操作表示パネル４６を設けている。前記本体４１内には、送風ファンが設けられており、前記前面パネル４２から吸い込まれた室内空気は、プレフィルタ４３、イオン化部４４、ロールフィルタ４５とを通って浄化された後、前記本体４１の上部に設けられた吹出口から吹き出されるようになっている。又、前記本体４１内には粉塵センサ５０及びガスセンサ５１が設けられている。
【０００３】
図８（Ｂ）は空気清浄機４０の主たる電気的構成を示すブロック図である。同空気清浄機４０の動作は、ＣＰＵやメモリからなるマイクロコンピュータ４８により制御されるようになっており、同マイクロコンピュータ４８には、前記粉塵センサ５０及びガスセンサ５１により検出された空気の汚れ度合いを表す信号が入力されるとともに、運転切換・停止スイッチ５２からの切換信号や、リモコン受信部を介して受信した各種操作信号及びリセットスイッチからのリセット信号が入力されるようになっている。
【０００４】
前記粉塵センサ５０は埃等の粒子を検出するものであり、内部には素子及び受光素子が収容されており、受光素子の受光量に基づく信号を前記マイクロコンピュータ４８に入力するようになっている。前記ガスセンサ５１は、臭いの原因となるガス成分を検出するためのものであり、前記粉塵センサ５０及びガスセンサ５１は前記マイクロコンピュータ４８に接続されたセンサ駆動回路４９によって駆動されるようになっている。また、前記マイクロコンピュータ４８には表示制御回路５５及びモータ駆動回路が接続されるとともに、図示はしていないが、前記送風ファンを駆動するモータ等に支障が発生した場合や、又は他の各種機器に支障が発生した際、その異常発生を伝える信号線が、夫々直接入力されるようになっている。
【０００５】
しかしながら、前記マイクロコンピュータ４８に、前記粉塵センサ５０、前記ガスセンサ５１の信号線とともに、各種機器の信号線が複数本、直接入力されることは、前記マイクロコンピュータ４８の入力ポートが多数必要となり、コストアップを招くとともに、制御系統及び前記本体４１内での配線系統が複雑となって、装置の組立性が猥雑となる虞があり、配線構造をより簡素化できる機器が求められていた。
【０００６】
【特許文献１】特開２００２−１３７９３号（３頁、図２）
【発明の開示】
【発明が解決しようとする課題】
【０００７】
本発明は、上記問題点に鑑み、制御系統及び配線系統を簡素化して、装置の組立性をより向上することのできる、空気調和機としての脱臭器を提供することを目的とする。
【課題を解決するための手段】
【０００８】
本発明は、上記課題を解決するため、異常状態を伝達する複数の信号線を各種機器から複数のモジュールに夫々接続する一方、同モジュールと電源／中継基板及び同電源／中継基板と操作／制御基板とを夫々信号線により接続してなる脱臭器において、前記モジュール内に、前記複数の信号線からの信号を論理和処理するＯＲ回路を設け、前記複数のモジュールと前記電源／中継基板とを結ぶ信号線を、夫々、少なくとも一本で構成するとともに、前記電源／中継基板に複数のモジュールからの信号を論理和処理するＯＲ回路を設け、前記電源／中継基板と操作／制御基板とを結ぶ信号線を、少なくとも一本で構成してなる。又、前記モジュール及び各種基板を、本体内に配置されたセンタパネルに集約するように設けるとともに、これらを接続する信号線を、前記センタパネル上に集約するように配線処理した構成となっている。
【発明の効果】
【０００９】
本発明によると、フロントパネルと、リアパネルと、トップパネルとから本体を構成し、同本体内に、前記フロントパネルと前記リアパネルとに挟持されるように、センタパネルを配設し、同センタパネルに、ＵＶランプに接続されるＵＶインバータモジュールと、各種機器に電源を供給するとともに、信号線の中継を行う電源／中継基板と、操作部に接続されるとともに、各種機器の制御を行う操作／制御基板とを集約するように設け、又、これらを接続する信号線を、前記センタパネル上に集中して配線処理を行うことにより、組立性及びメンテナンス作業性を向上させることができるようになっている。又、ＵＶランプの各信号線は、前記ＵＶインバータモジュール内で、トランジスタＱ１〜Ｑ４を介してＯＲ回路となるように接続されており、これにより、前記ＵＶインバータモジュールと前記電源／中継基板とを結ぶ信号線及び前記電源／中継基板と前記操作／制御基板とを結ぶ信号線は一本で接続することができるようになっており、各基板の入出力ポートとなるコネクタの個数を低減して、より配線構造を簡素化することができる脱臭器となっている。
【発明を実施するための最良の形態】
【００１０】
以下、本発明の実施の形態を、添付図面に基づいた実施例として詳細に説明する。
【実施例１】
【００１１】
図１は本発明による脱臭器を示す外観斜視図であり、図２はその断面図及び図３は分解斜視図である。図４は吸着脱臭部を示す斜視図であり、図５はオゾン脱臭部を示す斜視図である。図６はセンタパネルを示す斜視図であり、図７は配線の構成を示す構成図である。
【００１２】
本発明による脱臭器は、図１の外観斜視図で示すように、樹脂材からなり床面に立設可能な縦長状の本体１の前面中央に、横方向の桟を上下方向に連設して吸込口６を形成し、本体１上面に、風向板としての第一ルーバ７ａと、第二ルーバ７ｂとを備えた吹出口７を形成している。前記吸込口６の上方にはリモートコントローラからの信号を受信する受光部９が設けられ、前記吹出口７の前方には、複数の表示ランプと操作ボタンとを備えた操作部８が夫々設けられている。
【００１３】
前記本体１は、前記吸込口６を形成し後面が開放されたフロントパネル２と、前面と上面とが開放され、前記フロントパネル２が装着されるリアパネル３と、前記吹出口７を形成し下面が開放されたトップパネル５とから構成され、これらは螺着あるいは係合等により一体に組付られるようになっている。
【００１４】
前記本体１内には、図２の断面図及び図３の分解斜視図で示すように、前記吸込口６の裏面に、吸着脱臭部１０が設けられており、同吸着脱臭部１０は、集塵フィルタ１１と、触媒フィルタ１２と、活性炭フィルタ１３とを前後に積層して形成されている。又、本体１の略中央には、前記フロントパネル２と前記リアパネル３とに挟持されるように、通気孔を穿設した略平板状のセンタパネル４が設けられており、同センタパネル４には、前記通気孔に臨んで、前記吸着脱臭部１０を通過してきた空気を吸引する一方、前記吹出口７側に向けて上方に吹出す送風ファン１４が装着されるようになっている。又、同送風ファン１４と、前記吹出口７との間には、オゾン脱臭部１５が設けられている。
【００１５】
前記吸着脱臭部１０は前記吸込口６から吸込まれた空気に含有される高濃度臭気成分を脱臭処理するようになっており、前記オゾン脱臭部１５は、オゾンを発生させて低濃度臭気成分を脱臭処理するようになっている。又、同オゾン脱臭部１５は低濃度オゾンを前記吹出口７から室内に放出して、壁面、家具、衣服等に染みついた臭気成分を分解することも可能となっている。
【００１６】
前記吸着脱臭部１０は、図４で示すように、前面側から集塵フィルタ１１、触媒フィルタ１２、活性炭フィルタ１３を順次積層した三層構造に構成され、前記集塵フィルタ１１はプリーツ構造を有し、空気中に含有される塵埃、微粒子等を吸着するようになっている。前記触媒フィルタ１２はアンモニア吸着特性を有するゼオライトが配合されたフィルタ及びホルムアルデヒト分解特性を有する金属酸化物を含有するフィルタにより構成され、空気中に含有される汗臭等のアルデヒト系臭気、体臭等の脂肪酸臭気、アンモニア系臭気等を吸着するようになっている。又、同触媒フィルタ１２の前面側には蛇行状に加熱ヒータ１２ａが配設されおり、同加熱ヒータ１２ａの加熱により吸着された臭気成分の分解が促進されるようになっている。前記活性炭フィルタ１３は、前記触媒フィルタ１２で吸収しきれなかった臭気成分を吸着し、一時的に蓄積するようになっている。
【００１７】
前記オゾン脱臭部１５は、図５で示すように、内壁面に光触媒を塗布した金属性の箱体状のケース１７と、同ケース１７内に配設されたＵＶランプ（紫外線ランプ）１６とからなり、下面に複数の流入口１８を形成し、又、側面に複数の流出口１９を形成している。前記ＵＶランプ１６が電圧印加され、紫外線が発光されると周囲を流れる空気中にオゾンが発生し、同オゾンにより空気中に含有される低濃度臭気成分が分解されるようになっている。又、前記ケース１７の内壁面に塗布された光触媒に紫外線が照射されると強力な臭気分解作用を有する水酸基ラジアルが発生するようになっている。
【００１８】
前記流入口１８には、フィンを左右に形成した桟が多数備えられており、流入した空気は前記フィンにより乱流となって、前記ＵＶランプ１６により発生したオゾンと充分に混合され、脱臭効率を向上させるようになっている。又、前記ケース１７の天井面内壁には、略くの字形状に形成されたガイド部材１７ａが備えられており、同ガイド部材１７ａにより空気は左右方向に偏向されて、再度オゾンと混合され、前記流出口１９から流出するようになっている。
【００１９】
前記センタパネル４には、図６の背面側からの斜視図で示すように、中央部に前記送風ファン１４が装着されるようになっている。同送風ファン１４は、遠心ファンを内蔵した円筒状のケーシング１４ａと、同ケーシング１４ａから上方に向かい導出され、一側にくびれ部１４ｃを形成した断面矩形状のダクト１４ｂとからなり、同ダクト１４ｂの流出口には、前記ＵＶランプ１６を固定した前記ケース１７の底板が固着されるようになっている。
【００２０】
又、前記センタパネル４の上部には、コネクタ２０ａを備え、前記操作部８に接続されるとともに、前記送風ファン１４、前記ＵＶランプ１６等の制御を行う操作／制御基板２０が固定されており、前記センタパネル４の下部には、前記送風ファン１４、前記ＵＶランプ１６等に電源を供給するとともに、これらと前記操作／制御基板２０との間で信号の送受の際の中継を行う電源／中継基板２１が固定されている。又、前記ダクト１４ｂのくびれ部１４ｃには、前記ＵＶランプ１６に、前記電源／中継基板２１からの電源を供給する一方、同ＵＶランプ１６に異常が発生した際は、前記前記電源／中継基板２１を介して前記操作／制御基板２０に異常信号を送出するＵＶインバータモジュール２２が設けられている。
【００２１】
前記ＵＶインバータモジュール２２は、図７（Ａ）で示すように、前記ＵＶランプ１６と複数の信号線で接続されており、同ＵＶランプ１６に、異常放電、過電圧印加、ランプ破壊等の異常状態が発生した際は、信号線を介して前記ＵＶインバータモジュール２２に信号が送出されるようになっている。
【００２２】
各信号線は、前記ＵＶインバータモジュール２２内で、トランジスタＱ１〜Ｑ４を介してＯＲ回路となるように接続されており、これにより、前記ＵＶインバータモジュール２２と前記電源／中継基板２１とを結ぶ信号線２３及び前記電源／中継基板２１と前記操作／制御基板２０とを結ぶ信号線は一本で接続されるようになっている。又、これにより、前記電源／中継基板２１及び前記操作／制御基板２０での入出力ポートとなるコネクタの個数を低減することができるようになっている。
【００２３】
前記ＵＶランプ１６に、異常放電、過電圧印加、過電流、ランプ破壊等のいずれかの異常が発生した際は、夫々の信号線を介して異常状態を伝える信号が前記ＵＶインバータモジュール２２に伝達されるようになっている。伝達された信号は、前記ＵＶインバータモジュール２２の前記トランジスタＱ１〜Ｑ４を備えたＯＲ回路により論理和処理され、これにより前記ＵＶインバータモジュール２２と前記電源／中継基板２１を接続する前記信号線２３が、電流が流れる所謂励起状態となり前記電源／中継基板２１に異常発生を伝える信号が送出されるようになっている。前記電源／中継基板２１に伝えられた信号は、一本で構成された前記信号線２４により前記操作／制御基板２０により伝達され、複数の表示ランプと操作ボタンとを備えた前記操作部８に表示されるようになっている。これにより、前記ＵＶインバータモジュール２２と前記電源／中継基板２１を接続する前記信号線２３及び前記電源／中継基板２１と前記操作／制御基板２０を接続する前記信号線２４は夫々一本で構成することができ、配線構造が簡素化されるとともに、前記前記電源／中継基板２１及び前記操作／制御基板２０に備えられたマイクロコンピュータの入出力ポートも削減でき、制御構成も簡素化することができるようになっている。又、異常が発生した際は、前記操作部８に表示することができるようになっている。
【００２４】
又、前記電源／中継基板２１には、図７（Ｂ）で示すように、前記ＵＶインバータモジュール２２とともに、前記送風ファン１４に備えられたファンモータ１４ｄの信号線１４ｅ及び前記吹出口７の近傍に設けられたガスセンサ２５の信号線等が接続されており、これらは、前記電源／中継基板２１内でＯＲ回路となるように接続されることにより、前記電源／中継基板２１と前記操作／制御基板２０とは、少なくとも一本で接続でき、極力配線構造を簡素化できるとともに、制御の構成も簡素化することができるようになっている。又、図７（Ｃ）で示すように、前記ＵＶインバータモジュール２２と、ファンモータ１４ｄと、ガスセンサ２５との夫々にＯＲ回路を備えることにより、これらを一本の信号線で直列に接続し、前記電源／中継基板２１に入力することもできる。
【００２５】
前記送風ファン１４のケーシング１４ａ上には、図６で示すように、配線のガイド及び固定を行うガイドバー４ａが複数突設されており、前記ＵＶインバータモジュール２２から導出された一本としての信号線２３はガイドバー４ａにガイドされて前記電源／中継基板２１に接続され、同電源／中継基板２１から導出された信号線２４は、同様に、ガイドバー４ａにガイドされて前記操作／制御基板２０に接続されるようになっている。
【００２６】
上記したように、前記センタパネル４に、前記ＵＶインバータモジュール２２、前記電源／中継基板２１及び前記操作／制御基板２０を集約するように設け、又、これらを接続する前記信号線２３及び信号線２４を一本で構成して、前記センタパネル４上に配線処理を行うことにより、脱臭器の組立性を向上させることができるようになっている。
【図面の簡単な説明】
【００２７】
【図１】本発明による脱臭器を示す外観斜視図である。
【図２】本発明による脱臭器を示す断面図である。
【図３】本発明による脱臭器を示す分解斜視図である。
【図４】吸着脱臭部を示す斜視図である。
【図５】オゾン脱臭部を示す斜視図である。
【図６】センタパネルを示す斜視図である。
【図７】（Ａ）及び（Ｂ）（Ｃ）は配線の構成を示す構成図である。
【図８】（Ａ）は従来の空気調和機を示す分解斜視図である。  （Ｂ）は、配線部材を示す図である。
【符号の説明】
【００２８】
１  本体
２  フロントパネル
３  リアパネル
４  センタパネル
４ａ  ガイドバー
５  トップパネル
６  吸込口
７  吹出口
７ａ  第一ルーバ
７ｂ  第二ルーバ
８  操作部
９  受光部
１０  吸着脱臭部
１１  集塵フィルタ
１２  触媒フィルタ
１２ａ  加熱ヒータ
１３  活性炭フィルタ
１４  送風ファン
１４ａ  ケーシング
１４ｂ  ダクト
１４ｃ  くびれ部
１４ｄ  ファンモータ
１４ｅ  信号線
１５  オゾン脱臭部
１６  ＵＶランプ
１７  ケース
１７ａ  ガイド部材
１８  流入口
１９  流出口
２０  操作／制御基板
２０ａ  コネクタ
２１  電源／中継基板２１
２２  ＵＶインバータモジュール
２３  信号線
２４  信号線
２５  ガスセンサ
【図１】
2007195842.tif 000003
【図２】
2007195842.tif 000004
【図３】
2007195842.tif 000005
【図４】
2007195842.tif 000006
【図５】
2007195842.tif 000007
【図６】
2007195842.tif 000008
【図７】
2007195842.tif 000009
【図８】
2007195842.tif 000010